(57)【要約】【課題】少ない操作で簡単に所望の機能を選択する。【解決手段】信号受信手段１１はコントローラ２０からの信号を受信し、表示手段１２はコントローラ２０のキー配置と対応するように配置されたアイコンに、所定の機能を割り付けた機能選択画面１２ａを表示し、制御手段１３はコントローラ２０からの信号をもとに選択されたキーと対応したアイコンに割り付けられた機能を実行させる。【選択図】        図１
2004200866.tif 000002
【特許請求の範囲】
【請求項１】
コントローラからの信号を受け動作する表示再生装置において、
前記信号を受信する信号受信手段と、
所定の機能を割り付けたアイコンを、前記コントローラのキー配置と対応するように配置した機能選択画面を表示する表示手段と、
前記信号をもとに、前記コントローラ上の選択されたキーと対応した前記アイコンに割り付けられた前記機能を実行させる制御手段と、
を有することを特徴とする表示再生装置。
【請求項２】
前記キーは、数字キーであることを特徴とする請求項１記載の表示再生装置。
【請求項３】
コントローラからの信号を受け動作させる表示再生方法において、
所定の機能を割り付けたアイコンを、前記コントローラのキー配置と対応するように配置した機能選択画面を表示し、
前記信号をもとに、前記コントローラ上の選択されたキーと対応した前記アイコンに割り付けられた前記機能を実行させる、
ことを特徴とする表示再生方法。
【請求項４】
前記キーは、数字キーであることを特徴とする請求項３記載の表示再生方法。
【発明の詳細な説明】
【０００１】
【発明の属する技術分野】
本発明は、表示再生装置及び表示再生方法に関し、特に、デジタルテレビジョン放送受信機のようにリモートコントローラなどのコントローラからの信号を受けて動作する表示再生装置及び表示再生方法に関する。
【０００２】
【従来の技術】
デジタルテレビジョン放送受信機（以下デジタル放送受信機と呼ぶ）の高機能化及び多機能化に伴い、これを操作するためのリモートコントローラ（以下リモコンと略す）によるキー操作の回数が非常に多くなってきている。
【０００３】
図７は、従来のリモコン操作の流れを示すフローチャートである。
ここでは、ディスプレイ上に表示されるメニュー画面の、所定の機能が割り付けられたアイコンを選択して、所望の機能を実行する場合の、従来のリモコン操作について説明する。
【０００４】
まず、ユーザはカーソルが目的のアイコン上にあるか否かを確認し（ステップＳ１０）、なければリモコン上の矢印キーを押し（ステップＳ１１）、目的のアイコン上にカーソルを移動させる。目的のアイコン上にカーソルを移動させた場合、リモコン上の決定キーを押し（ステップＳ１２）、所望の機能を実行させる（ステップＳ１３）。
【０００５】
このように、従来のリモコン操作では、所望の機能を選択するために矢印キーや決定キーによる操作が必要であるため、使い勝手がよくなかった。
このような課題を解決するため、メニュー画面上のアイコンの近傍に指定番号を表示し、数字キーでこの指定番号を入力することで、矢印キーを用いずに所望の機能を選択できるものが提案されている（例えば、特許文献１参照）。
【０００６】
【特許文献１】
特開２００１−６７７６６号公報（段落番号〔００２６〕〜〔００３０〕，第１図）
【０００７】
【発明が解決しようとする課題】
しかし、数字キーを用いる場合でも、数字を確認して入力する手間がかかり、数字キーの数字表示が小さくて認識しづらい場合などは特に入力が困難であるという問題があった。
【０００８】
本発明はこのような点に鑑みてなされたものであり、少ない操作で簡単に所望の機能が選択可能な、表示再生装置を提供することを目的とする。
また、本発明の他の目的は、少ない操作で簡単に所望の機能が選択可能な、表示再生方法を提供することである。
【０００９】
【課題を解決するための手段】
本発明では上記課題を解決するために、コントローラからの信号を受け動作する表示再生装置において、前記信号を受信する信号受信手段と、所定の機能を割り付けたアイコンを、前記コントローラのキー配置と対応するように配置した機能選択画面を表示する表示手段と、前記信号をもとに、前記コントローラ上の選択されたキーと対応した前記アイコンに割り付けられた前記機能を実行させる制御手段と、を有することを特徴とする表示再生装置が提供される。
【００１０】
上記の構成によれば、信号受信手段はコントローラからの信号を受信し、表示手段は所定の機能を割り付けたアイコンを、コントローラのキー配置と対応するように配置した機能選択画面を表示し、制御部は選択されたキーと対応したアイコンに割り付けられた機能を実行させる。
【００１１】
【発明の実施の形態】
以下本発明の実施の形態を図面を参照して説明する。
図１は、本発明の実施の形態の表示再生装置の原理を示す原理説明図である。
【００１２】
表示再生装置１０は、コントローラ２０からの信号を受信する信号受信手段１１と、コントローラ２０のキー配置と対応するように配置されたアイコンに、所定の機能を割り付けた機能選択画面１２ａを表示する表示手段１２と、コントローラ２０上で選択されたキーと対応したアイコンに割り付けられた機能を実行させる制御手段１３と、を有する。
【００１３】
コントローラ２０において、例えば、機能選択画面起動キー２０ａが押されて、機能選択画面を起動させる旨の入力がなされた場合、その信号は、表示再生装置１０の信号受信手段１１で受信される。受信した信号は制御手段１３で処理され、制御手段１３の制御のもと表示手段１２で機能選択画面１２ａとして表示される。機能選択画面１２ａは、コントローラ２０のキー配置と対応するようにアイコンが配置される。アイコンには所定の機能が割り付けられている。図１では、コントローラ２０の“１”から“９”までのキー配置である破線部２０ｂに対応して、機能選択画面１２ａにアイコンが配置された例を示している。
【００１４】
ここで、コントローラ２０のキー２１である“１”が押された場合、その旨の信号がコントローラ２０より発信され、信号受信手段１１でこれを受信する。制御手段１３は、機能選択画面１２ａにおいて、コントローラ２０の“１”のキー２１の位置に対応するアイコン３１に割り付けられた機能Ａを実行させる。
【００１５】
このように、コントローラ２０のキー配置と対応するように、配置されたアイコンに所定の機能を割り付けた機能選択画面１２ａを表示し、コントローラ２０のキーが押されたときに、対応するアイコンに割り付けられた機能を起動することで、少ない操作で簡単に所望の機能を選択することができる。
【００１６】
以下本発明の実施の形態の詳細を説明する。
なお、以下では、デジタル放送受信機を例にして、本発明の実施の形態の表示再生装置の詳細を説明する。
【００１７】
図２は、デジタル放送受信機のハードウェア構成図である。
デジタル放送受信機１００は、アンテナ１０１ａと接続され選局及び復調を行うチューナ１０１と、スクランブルを解くデスクランブラ１０２と、受信した多重化されたデジタル放送信号のトランスポートストリームから、符号化された映像信号及び音声信号などを分離するデマルチプレクサ１０３と、符号化された映像信号をＮＴＳＣ（National TV Standards Committee）信号などに復号する映像復号回路１０４と、符号化された音声信号を復号してスピーカ１０５ａに出力する音声復号回路１０５と、データ放送画面や、表示信号を処理し映像信号に付加してディスプレイ１０４ａに出力するＯＳＤ（On Screen Display）付加回路１０６と、デジタル記録／再生装置２５０と接続するためのインターフェース１０７と、インターフェース１０７からの出力かデマルチプレクサ１０３からの出力かを切り替える映像切替部１０８と音声切替部１０９と、リモコン２００より赤外線で送信されるユーザからの命令を受信し、リモコンコードに変換する受光部１１０と、表示データやＯＳ（Operating System）などを格納しているメモリ１１１と、これらを制御するＣＰＵ（Central Processing Unit）１１２と、から構成される。ここで、インターフェース１０７は、ＩＥＥＥ（Institute of Electrical and Electronic Engineers）１３９４に対応した、ｉ．ＬＩＮＫ（ｉ．ＬＩＮＫはソニー株式会社の登録商標である）などのデジタルインターフェースである。
【００１８】
また、デジタル記録／再生装置２５０は、デジタルビデオレコーダや、ハードディスクレコーダ（以下ＨＤＲ）などがある。デジタル記録／再生装置２５０は複数接続するようにしてもよい。
【００１９】
なお、図２のデジタル放送受信機１００において、図１の表示再生装置１０の信号受信手段１１は、受光部１１０と対応しており、表示手段１２は、ＯＳＤ付加回路１０６、ディスプレイ１０４ａに対応しており、制御手段１３は、ＣＰＵ１１２と対応している。
【００２０】
以下、デジタル放送受信機１００の動作を説明する。
まず、通常のデジタル衛星放送視聴時の動作を説明する。
ユーザによるリモコン２００の操作により放送局が選局されると、リモコン２００からの選局信号を受光部１１０で受信する。さらに、選局信号はリモコンコードに変換されＣＰＵ１１２を介してチューナ１０１に伝送される。チューナ１０１では、選局信号に応じ放送局を選局して、変調されトランスポートストリーム形式で送られるコンテンツを、アンテナ１０１ａで受信し復調する。次に、有料放送など、暗号化されていれば、ＣＰＵ１１２の制御のもと、デスクランブラ１０２でスクランブルを解き、トランスポートストリームの多重化をデマルチプレクサ１０３で解く。ここで分離された映像信号及び音声信号は符号化されているので、映像信号は映像復号回路１０４で、音声信号は音声復号回路１０５で復号される。データ放送受信の際は、デマルチプレクサ１０３で分離されたデータ放送信号は、ＣＰＵ１１２を介してデータ放送画面表示信号としてＯＳＤ付加回路１０６に伝送され、ＣＰＵ１１２の描画命令のもとＧＵＩ（Graphical User Interface）映像信号を作り、映像復号回路１０４で復号された映像信号に付加されディスプレイ１０４ａに出力される。また、復号された音声信号はスピーカ１０５ａで出力される。
【００２１】
放送されるコンテンツを録画したい場合、ユーザは例えば、リモコン２００の録画ボタン（図示しない）を押すことで、インターフェース１０７に接続されるデジタル記録／再生装置２５０にコンテンツが記録される。
【００２２】
デジタル記録／再生装置２５０からの再生の際は、ユーザは例えば、リモコン２００の再生ボタン（図示しない）を押すことで、デジタル記録／再生装置２５０に記録されたコンテンツは、インターフェース１０７を介して入力され、符号化された映像信号は映像復号回路１０４で、音声信号は音声復号回路１０５で復号され、ディスプレイ１０４ａ及びスピーカ１０５ａで出力される。
【００２３】
次に本発明の特徴部分の動作について説明する。
図３は、リモコンとポータルメニューの例を示した図である。
ポータルメニュー３００は、図１においては機能選択画面１２ａと対応している。
【００２４】
リモコン２００上にあるポータルメニュー起動キー（図では“ＰＭ起動”と表記している）２００ａが押されると、受光部１１０は、リモコン２００からの赤外線信号を受信する。受光部１１０で受信し、リモコンコードに変換された信号はＣＰＵ１１２に送られ、ＣＰＵ１１２の制御のもとメモリ１１１から取り出された表示データを処理し、ＣＰＵ１１２の描画命令のもとＯＳＤ付加回路１０６でＧＵＩ映像信号を作り、映像復号回路１０４からの映像信号に付加されてディスプレイ１０４ａにポータルメニュー３００として表示される。ここで、ポータルメニュー３００は、例えば、リモコン２００上の選局操作を行う数字キーの一部である破線部２００ｂのキー配置と対応したアイコンを配置している。
【００２５】
ここで、例えば、リモコン２００上にある“１”の数字キー２０１が押されると、ポータルメニュー３００のアイコン３０１が選択されたことになり、アイコン３０１に割り当てられた“Favorite CH”（お好みチャンネルの選局）が起動する。
【００２６】
図４は、お好みチャンネル選局画面の例である。
例えば、図３のポータルメニュー３００で、“Favorite CH”が選択されると、次画面としてお好みチャンネル選局画面３１０が表示される。ここで、お好みチャンネル選局画面３１０は、例えば、リモコン２００上の選局操作を行う数字キーの一部である破線部２００ｃのキー配置と対応したアイコンを配置している。
【００２７】
ここで、例えば、リモコン２００上にある“７”の数字キー２０７が押されると、お好みチャンネル選局画面３１０のアイコン３１１が選択されたことになり、アイコン３１１に割り当てられた“００６ｃｈ”の選局が行われる。
【００２８】
一方、図３のポータルメニュー３００で、例えば、リモコン２００上にある“２”の数字キー２０２が押されると、ポータルメニュー３００のアイコン３０２が選択されたことになり、アイコン３０２に割り当てられた“HDR PLAY”（ＨＤＲ再生）が起動する。なお、“HDR PLAY”はインターフェース１０７で接続されたデジタル記録／再生装置２５０の例であるＨＤＲの再生に関する機能である。
【００２９】
図５は、ＨＤＲ再生画面の例である。
例えば、図３のポータルメニュー３００で、“HDR PLAY”が選択されると、次画面としてＨＤＲ再生画面３２０が表示される。ここで、ＨＤＲ再生画面３２０は、例えば、リモコン２００上の選局操作を行う数字キーの一部である破線部２００ｄのキー配置と対応したアイコンを配置している。
【００３０】
ここで、例えば、リモコン２００上にある“５”の数字キー２０５が押されると、ＨＤＲ再生画面３２０のアイコン３２１が選択されたことになり、アイコン３２１に割り当てられた機能である再生動作が起動する。これにより、デジタル記録／再生装置２５０に記録されたコンテンツがインターフェース１０７を介してデジタル放送受信機１００に入力され、ＣＰＵ１１２の制御のもと、映像切替部１０８及び音声切替部１０９では、インターフェース１０７の出力に切り替え、ディスプレイ１０４ａ及びスピーカ１０５ａに出力し、コンテンツを再生する。再生を停止したい場合は、リモコン２００上にある“８”の数字キー２０８を押せば、停止機能が割り付けられたアイコン３２２が選択されたことになり、コンテンツの再生を停止する。
【００３１】
次に本発明の実施の形態のデジタル放送受信機１００の特徴部分の動作を、フローチャートでまとめ、本発明の実施の形態の表示再生方法について説明する。
図６は、本発明の実施の形態の表示再生方法の処理の流れを示すフローチャートである。
【００３２】
Ｓ１：ポータルメニュー起動信号受信
リモコン２００の、例えば、ポータルメニュー起動キー２００ａが押された場合、デジタル放送受信機１００は、受光部１１０にて信号を受信しリモコンコードに変換する。
【００３３】
Ｓ２：ポータルメニュー表示
ＣＰＵ１１２の制御のもとメモリ１１１に格納された表示データをもとにして、ポータルメニューをＧＵＩ画面として生成し、ディスプレイ１０４ａに出力する。
【００３４】
Ｓ３：画面上のアイコンに対応したキーが押されたか否かの判断
例えば、図３で示したように、ポータルメニュー３００のアイコンに対応したリモコン２００上のキーが押されたか否かを、そのキーに対応した信号を受信するか否かでＣＰＵ１１２は判断する。ここで、対応するキーが押された場合は、ステップＳ４に進み、押されない場合は、ステップＳ３を繰り返す。
【００３５】
Ｓ４：次画面があるか否かの判断
表示中の画面のアイコンに対応するキーが押された場合は、そのアイコンに割り付けられた機能に対応した次画面があるか否かの判断を行う。次画面とは、例えば、図３のポータルメニュー３００にとって、お好みチャンネル選局画面３１０や、ＨＤＲ再生画面３２０などである。
【００３６】
Ｓ５：次画面の表示
ここで、次画面がある場合は、ディスプレイ１０４ａにこれを表示させ、ステップＳ３に戻る。
【００３７】
Ｓ６：実行処理
次画面がない場合は、アイコンに割り付けられた所定の機能を実行させる。例えば、図４で示したようなお好みチャンネル選局画面３１０の場合は、キーを押すと、キーで選択した選局動作を実行させる。また、図５で示したようなＨＤＲ再生画面３２０が表示されている場合は、キーを押すと、それに対応した再生動作（停止、一時停止、再生、変速再生、早送り、巻戻しなど）を実行させる。
【００３８】
以上のように、リモコン２００のキー配置と対応するように、配置されたアイコンに所定の機能を割り付けたポータルメニュー３００などのＧＵＩ画面を表示し、リモコン２００のキーが押されたときに、対応するアイコンに割り付けられた機能を起動することで、少ない操作で簡単に所望の機能を選択することができる。
【００３９】
また、リモコンのキー数の減少も期待でき、これにより、リモコンの省スペース化を図ることが可能になる。
また、従来の矢印キー及び決定キーを使用したカーソル移動及び決定操作と比べて、キーを押す回数が減少することから、リモコンの消耗を防止することができる。
【００４０】
なお、上記ではリモコン上の数字キーに対応したＧＵＩ画面を表示するようにしたが、これに限定されず、リモコン上の全てのキーに対して適用することができ、対応するＧＵＩを搭載することにより、どのキーでも共用キーとして使用することが可能となる。
【００４１】
また、上記で説明したＧＵＩ画面は、周知の技術によりディスプレイ１０４ａに全画面表示させることも、一部に表示させることも、通常のテレビ番組の放送画面上に透かして表示させることも可能である。
【００４２】
また、上記では、コントローラの一例として、赤外線信号により信号を発信するリモコンを用いて説明を進めたが、表示再生装置自身に搭載されるものであってもよい。例えば、コントロールパネルなどで実現できる。
【００４３】
また、上記ではデジタル放送受信機を例にして本発明の実施の形態を説明したが、これに限定されることはなく、例えば、表示デバイスを接続したＤＶＤ（商標名）プレイヤーなどにも本発明を適用できることはいうまでもない。
【００４４】
【発明の効果】
以上説明したように本発明では、コントローラのキー配置と対応するように配置されたアイコンに、所定の機能を割り付けた機能選択画面を表示し、コントローラのキーが押されたときに、対応するアイコンに割り付けられた機能を起動することで、少ない操作で簡単に所望の機能を選択し、実行することができる。
【００４５】
また、従来の矢印キー及び決定キーを使用したカーソル移動及び決定操作と比べて、キーを押す回数が減少することから、コントローラの消耗を防止することができる。
【００４６】
また、機能選択のためにコントローラの数字キーを用いるので、コントローラのキー数の減少も期待でき、これにより省スペース化を図ることが可能になりコストの削減につながる。
【図面の簡単な説明】
【図１】本発明の実施の形態の表示再生装置の原理を示す原理説明図である。
【図２】デジタル放送受信機のハードウェア構成図である。
【図３】リモコンとポータルメニューの例を示した図である。
【図４】お好みチャンネル選局画面の例である。
【図５】ＨＤＲ再生画面の例である。
【図６】本発明の実施の形態の表示再生方法の処理の流れを示すフローチャートである。
【図７】従来のリモコン操作の流れを示すフローチャートである。
【符号の説明】
１０……表示再生装置、１１……信号受信手段、１２……表示手段、１３……制御手段、２０……コントローラ
【図１】
2004200866.tif 000003
【図２】
2004200866.tif 000004
【図３】
2004200866.tif 000005
【図４】
2004200866.tif 000006
【図５】
2004200866.tif 000007
【図６】
2004200866.tif 000008
【図７】
2004200866.tif 000009